(57)【要約】【課題】  実際の間取りのイメージを的確に把握することのできるシステムを提供する。【解決手段】  所定の間取りデータを記憶するとともに、その間取りデータをプロジェクタ４ａに出力し得るコンピュータ５と、コンピュータ５から入力された間取りデータに基づく間取り画像を床面２に実寸で表示し得るプロジェクタ４ａとを備えた間取り実寸表示システム１とする。【選択図】図１
2007187755.tif 000002
【特許請求の範囲】
【請求項１】
所定の間取りデータを記憶するとともに、前記間取りデータを表示装置に出力し得る制御装置と、
前記制御装置から入力された間取りデータに基づく間取りを床面に実寸で表示し得る間取り表示装置と
を備えたことを特徴とする間取り実寸表示システム。
【請求項２】
前記間取り表示装置は、床面に画像を表示することのできるプロジェクタであることを特徴とする請求項１に記載の間取り実寸表示システム。
【請求項３】
前記プロジェクタを支持する支持部材をさらに備えたことを特徴とする請求項２に記載の間取り実寸表示システム。
【請求項４】
少なくとも１つの壁面部をさらに備えたことを特徴とする請求項１〜３のいずれかに記載の間取り実寸表示システム。
【請求項５】
少なくとも隣接する２つの壁面部をさらに備えたことを特徴とする請求項１〜３のいずれかに記載の間取り実寸表示システム。
【請求項６】
前記壁面部の１または２以上が任意の位置に設置可能となっていることを特徴とする請求項４または５に記載の間取り実寸表示システム。
【請求項７】
前記間取り実寸表示システムは、壁面表示装置をさらに備えており、
前記制御装置は、壁面データを記憶するとともに、前記壁面データを表示装置に出力することができ、
前記壁面表示装置は、前記制御装置から入力された壁面データに基づく部屋の壁面構成を前記壁面部に実寸で表示することができる
ことを特徴とする請求項４〜６のいずれかに記載の間取り実寸表示システム。
【請求項８】
前記制御装置は、前記壁面データを間取りデータと関連付けて記憶しており、所定の壁面部に対して所望の部屋の壁面構成を切り替えて表示させるとともに、床面における間取りの向きを変更して表示させる手段を有することを特徴とする請求項７に記載の間取り実寸表示システム。
【請求項９】
前記壁面表示装置は、前記壁面部に画像を表示することのできるプロジェクタであることを特徴とする請求項７または８に記載の間取り実寸表示システム。
【請求項１０】
前記プロジェクタはリアプロジェクタであることを特徴とする請求項９に記載の間取り実寸表示システム。
【発明の詳細な説明】
【技術分野】
【０００１】
本発明は、家屋又は部屋の間取りを実寸で表示することのできる間取り実寸表示システムに関するものである。
【背景技術】
【０００２】
従来、一戸建てを建築したりリフォームしたりする場合、あるいは建築前の集合住宅の住戸を購入する場合、間取り図を使用して間取りを確認するのが一般的である。しかしながら、間取り図は実際の間取りを縮小して図にしたものであるため、実際の間取りのイメージを的確に把握することが困難であり、間取り図によって把握していたイメージと実際に建築された建物の間取りとが異なってしまう場合がある。
【０００３】
実際の間取りのイメージを的確に把握するために、モデルハウスやモデルルームを利用する方法もあるが、全ての間取りに対応したモデルハウスやモデルルームを建築することは事実上不可能である。
【発明の開示】
【発明が解決しようとする課題】
【０００４】
本発明は、このような実情に鑑みてなされたものであり、実際の間取りのイメージを的確に把握することのできるシステムを提供することを目的とする。
【課題を解決するための手段】
【０００５】
上記目的を達成するために、本発明は、所定の間取りデータを記憶するとともに、前記間取りデータを表示装置に出力し得る制御装置と、前記制御装置から入力された間取りデータに基づく間取りを床面に実寸で表示し得る間取り表示装置とを備えたことを特徴とする間取り実寸表示システムを提供する（請求項１）。
【０００６】
なお、本明細書において「間取り」には、家屋等における部屋の配置の仕方のみならず、部屋の形自体や部屋における家具等の配置の仕方等も含まれるものとする。
【０００７】
上記発明（請求項１）によれば、間取りデータに基づく間取りを実寸で床面に表示することができるため、その床面に実寸で表示された間取りを見たり、表示された間取りの上を実際に歩いたりすることで、間取りのイメージを的確に把握することができる。
【０００８】
上記発明（請求項１）において、前記間取り表示装置は、床面に画像を表示することのできるプロジェクタであることが好ましい（請求項２）。プロジェクタを使用することにより、簡単に大きな画像を表示することができるため、容易にかつ低コストで実寸の間取りを表示することができる。
【０００９】
上記発明（請求項２）においては、前記プロジェクタを支持する支持部材をさらに備えていてもよい（請求項３）。これにより、間取り実寸表示システムを１つのユニットとして構成することが可能である。
【００１０】
上記発明（請求項１〜３）においては、少なくとも１つの壁面部をさらに備えていてもよいし（請求項４）、少なくとも隣接する２つの壁面部をさらに備えていてもよい（請求項５）。かかる発明（請求項５）によれば、家屋や部屋の間取りを含めた空間イメージを立体的に把握することができる。
【００１１】
上記発明（請求項４，５）においては、前記壁面部の１または２以上が任意の位置に設置可能となっていることが好ましい（請求項６）。かかる発明（請求項６）によれば、間取りにおける壁の位置に合わせて壁面部を設置することができるため、壁面部を家屋や部屋の壁面に見立てることができ、それにより間取りだけでなく、家屋や部屋の広さをも立体的に把握することができる。
【００１２】
上記発明（請求項４〜６）においては、前記間取り実寸表示システムは、壁面表示装置をさらに備えており、前記制御装置は、壁面データを記憶するとともに、前記壁面データを表示装置に出力することができ、前記壁面表示装置は、前記制御装置から入力された壁面データに基づく部屋の壁面構成を前記壁面部に実寸で表示することができることが好ましい（請求項７）。
【００１３】
上記発明（請求項７）によれば、実寸で表示された家屋や部屋の壁面構成、例えば窓の位置、ドアの位置、壁の高さ等を見ることができるため、家屋や部屋の壁面のイメージを的確に把握することができ、実寸で表示された間取りと組み合わせられることにより、家屋や部屋の空間イメージをさらに的確に把握することができる。
【００１４】
上記発明（請求項７）においては、前記制御装置は、前記壁面データを間取りデータと関連付けて記憶しており、所定の壁面部に対して所望の部屋の壁面構成を切り替えて表示させるとともに、床面における間取りの向きを変更して表示させる手段を有することが好ましい（請求項８）。
【００１５】
上記発明（請求項８）によれば、壁面部の数が少なくても、切り替えにより所望の壁面の壁面構成を表示させることができ、しかも床面に表示される間取りと壁面部に表示される壁面構成とは互いに連動するため、家屋や部屋の空間をリアルに自動表示することが可能である。
【００１６】
上記発明（請求項７，８）において、前記壁面表示装置は、前記壁面部に画像を表示することのできるプロジェクタであることが好ましい（請求項９）。
【００１７】
上記発明（請求項９）においては、前記プロジェクタはリアプロジェクタであることが好ましい（請求項１０）。かかる発明（請求項１０）によれば、床面上に人が立ったとしても、リアプロジェクタから投射される画像に影ができることがなく、壁面部に投射された壁面構成の画像が見やすいものとなる。
【発明の効果】
【００１８】
本発明の間取り実寸表示システムによれば、実際の間取りのイメージを的確に把握することができる。
【発明を実施するための最良の形態】
【００１９】
〔第１の実施形態〕
以下、本発明の第１の実施形態を図面に基づいて説明する。
図１は、本発明の第１の実施形態に係る間取り実寸表示システムを示す概略斜視図である。
【００２０】
図１に示すように、第１の実施形態に係る間取り実寸表示システム１は、床面２上に設置される２つのスクリーン部３ａ，３ｂと、床面２に画像を投射し得る第１のプロジェクタ４ａと、スクリーン部３ａに画像を投射し得る第２のプロジェクタ４ｂと、スクリーン部３ｂに画像を投射し得る第３のプロジェクタ４ｃと、上記３つのプロジェクタ４ａ，４ｂ，４ｃの動作を制御し得る制御装置としてのコンピュータ５とを備える。
【００２１】
本実施形態では、床面２は約３０坪程度の広さを有する。この床面２は、プロジェクタ４ａからの投射画像を鮮明に表示することのできるものであることが好ましい。床面２には、一般的な映写用スクリーン等が敷設されていてもよいし、プロジェクタ４ａからの投射画像を鮮明に表示することのできる色（例えば、白色）の床板等が敷設されていてもよいし、当該色で床面が塗装されていてもよい。床面２に表示された間取り上を人が歩くことを考慮すると、床面２は、汚れ等が付着しにくい材料または付着した汚れ等を容易に除去することができる材料により構成されていることが好ましい。
【００２２】
スクリーン部３ａ，３ｂは、家屋や部屋の壁面に見立てられるものである。本実施形態におけるスクリーン部３ａ，３ｂは、ロール式スクリーン、すなわち、円筒状のスクリーン収納部にスクリーンが巻き取られて収納されており、そのスクリーンをスクリーン収納部から引き出して、所望の引出し量で固定することができるものである。このスクリーン部３ａ，３ｂは、間取りにおける壁の位置・大きさに合わせて、所望の位置に所望の長さで設置することが可能である。ただし、２つのスクリーン部３ａ，３ｂは、図１に示すように、互いに隣接するように設置することが好ましく、それにより家屋や部屋の空間イメージを立体的に把握しやすくなる。スクリーン部３ａ，３ｂの高さは、一般的な家屋の天井高と同じかそれよりも高くなるように設定しておくことが好ましい。
【００２３】
第１のプロジェクタ４ａは、床面２の上方であって、床面２に間取り画像を実寸で表示することのできる位置に、床面２に向けて設置されている。第２のプロジェクタ４ｂは、スクリーン部３ａに対向する位置であって、スクリーン部３ａに家屋・部屋の壁面画像を実寸で表示することのできる位置に、スクリーン部３ａに向けて設置されている。第３のプロジェクタ４ｃは、スクリーン部３ｂに対向する位置であって、スクリーン部３ｂに家屋・部屋の壁面画像を実寸で表示することのできる位置に、スクリーン部３ｂに向けて設置されている。
【００２４】
コンピュータ５は、プロジェクタ４ａ，４ｂ，４ｃのそれぞれに有線または無線で電気的に接続されている。コンピュータ５は、制御部、記憶部、入力部および表示部を備えるパーソナルコンピュータである。コンピュータ５の記憶部には、複数の間取りデータおよび各間取りデータに関連付けられた複数の壁面データが記憶されている。例えば、方形状の家屋であれば、記憶部には、部屋に配置された家具等の平面視画像を含む家屋の間取りに関する画像データ（間取りデータ）と、壁面に設けられた窓や扉等の正面視画像を含む部屋の壁面に関する４つの画像データ（壁面データ）とが記憶されており、当該４つの壁面データは間取りデータに関連付けられてコンピュータ５の記憶部に記憶されている。
【００２５】
各間取りデータおよび壁面データは、プロジェクタ４ａ，４ｂ，４ｃから投射した間取りおよび壁面の画像が床面２およびスクリーン部３ａ，３ｂにて実寸で表示され得るように、あらかじめ画像データの大きさを調整しておく必要がある。なお、各間取りデータおよび壁面データは、実際の床、家具、壁等の色や質感を表示できる画像データとなっていることが好ましい。
【００２６】
コンピュータ５は、複数の間取り画像から一の間取り画像を選択させる機能および間取り画像の表示方向を選択させる機能を備えており、表示部を見ているオペレータが入力部を使用して選択できるようになっている。コンピュータ５の制御部は、その選択に基づいて、記憶部に記憶されている間取りデータおよび２つの壁面データを読み出し、当該間取りデータを選択された表示方向で第１のプロジェクタ４ａに出力するとともに、その表示方向に合わせて２つの壁面データを第２のプロジェクタ４ｂおよび第３のプロジェクタ４ｃのそれぞれに出力するようになっている。
【００２７】
以上のような構成を有する間取り実寸表示システム１を使用するには、あらかじめ２つのスクリーン部３ａ，３ｂを所定の位置に設置してから、オペレータがコンピュータ５を操作して、所望の間取り画像およびその表示方向を選択する。コンピュータ５の制御部は、選択された間取り画像のデータを選択された表示方向で第１のプロジェクタ４ａに出力するとともに、それに合わせて２つの壁面データを第２のプロジェクタ４ｂおよび第３のプロジェクタ４ｃのそれぞれに出力する。
【００２８】
第１のプロジェクタ４ａは、コンピュータ５から出力された間取りデータに基づいて床面２に間取り画像を実寸で投射し、第２のプロジェクタ４ｂは、コンピュータ５から出力された壁面データに基づいてスクリーン部３ａに壁面画像を実寸で投射し、第３のプロジェクタ４ｃは、コンピュータ５から出力された壁面データに基づいてスクリーン部３ｂに壁面画像を実寸で投射する。
【００２９】
このようにして、床面２には間取りが実寸で表示され、スクリーン部３ａ，３ｂには家屋・部屋の壁面構成が実寸で表示される。その床面２に実寸で表示された間取りを見たり、実寸で表示された間取りの上を実際に歩いたりすることで、間取りのイメージを的確に把握することができる。また、スクリーン部３ａ，３ｂに実寸で表示された家屋・部屋の壁面構成を見ることで、窓の位置、ドアの位置、壁の高さ等のイメージを的確に把握することができる。さらに、実寸で表示された間取りと壁面構成とが組み合わせられることにより、家屋・部屋の空間イメージを立体的に的確に把握することもできる。
【００３０】
ここで、オペレータがコンピュータ５を操作して、間取り画像の表示方向として、別の表示方向を選択する（例えば垂直軸回りに９０°または１８０°右周りまたは左周りに回転させる）と、コンピュータ５の制御部は、該当する２つの壁面データを記憶部から読み出し、当該２つの壁面データを第２のプロジェクタ４ｂおよび第３のプロジェクタ４ｃのそれぞれに出力するとともに、間取りデータを選択された表示方向で第１のプロジェクタ４ａに出力する。それに基づいて各プロジェクタ４ａ，４ｂ，４ｃは、回転した間取り画像およびそれに該当する壁面画像を床面２およびスクリーン部３ａ，３ｂに投射する。
【００３１】
このように間取りの向きを切り替え可能とすることにより、スクリーン部３ａ，３ｂの数が２つであっても、全ての壁面（４面）の壁面構成を表示させることができる。また、床面２に表示される間取りとスクリーン部３ａ，３ｂに表示される壁面構成とは互いに連動するため、家屋や部屋の空間をリアルに自動表示することができる。
【００３２】
〔第２の実施形態〕
次に、本発明の第２の実施形態を図面に基づいて説明する。
図２は、本発明の第２の実施形態に係る間取り実寸表示システムを示す概略斜視図であり、図３（ａ）は、図２に示す本実施形態における投射画像を示す模式図であり、図３（ｂ）は、図３（ａ）の投射画像を垂直軸回りに１８０度回転させた投射画像を示す模式図である。
【００３３】
図２に示すように、本実施形態に係る間取り実寸表示システム１１は、矩形の床面部１２と、床面部１２上に設置された四角柱状のフレーム１６と、フレーム１６の上部に設置されたプロジェクタ１３と、フレーム１６の隣接する２つの側面に設置された２つのリアプロジェクタユニット１４ａ，１４ｂと、プロジェクタ１３およびリアプロジェクタユニット１４ａ，１４ｂの動作を制御し得る制御装置としてのコンピュータ１５とを備えており、全体として１つに纏まったユニットを構成している。
【００３４】
本実施形態では、床面部１２は、間取り実寸表示システム１１に含まれており、約８畳程度の広さを有する。この床面部１２は、一般的な映写用スクリーン等であってもよいし、プロジェクタ１３からの投射画像を鮮明に表示することのできる色（例えば、白色）の床板等であってもよく、その材料は第１の実施形態における床面２と同様とすることが好ましい。
【００３５】
フレーム１６は、床面部１２の四隅に立設された４本の支柱部１６１と、当該支柱部１６１の上端部を対角線上で連結するＸ字状の第１の梁部１６２と、隣接する２本の支柱部１６１の上端部を連結する４本の第２の梁部１６３とを備えて構成されている。第１の梁部のＸ字の交点に、プロジェクタ１３が床面部１２に向けて設置されており、したがって、フレーム１６の高さは、プロジェクタ１３が床面部１２に間取り画像を実寸で表示することのできる高さに設定する。
【００３６】
リアプロジェクタユニット１４ａ，１４ｂは、透光性のスクリーン部１４１ａ，１４１ｂと、スクリーン部１４１ａ，１４１ｂの背面側に設置されたプロジェクタ１４２ａ，１４２ｂと、ミラー（図示せず）とを備えて構成されており、スクリーン部１４１ａ，１４１ｂがフレーム１６の隣接する２つの側面に位置するように設置されている。
【００３７】
リアプロジェクタユニット１４ａ，１４ｂにおいては、プロジェクタ１４２ａ，１４２ｂはスクリーン部１４１ａ，１４１ｂの背面側下部にスクリーン部１４１ａ，１４１ｂと反対方向に光を投射するように設置されており、プロジェクタ１４２ａ，１４２ｂから投射された光がミラーによって反射して、スクリーン部１４１ａ，１４１ｂの背面側からスクリーン部１４１ａ，１４１ｂを透過するように構成されている。
【００３８】
コンピュータ１５は、第１の実施形態におけるコンピュータ５と同様の構成を有する。コンピュータ１５の記憶部には、例えば、部屋に配置された家具等の平面視画像を含む部屋の間取りに関する画像データ（間取りデータ）と、壁面に設けられた窓や扉等の正面視画像を含む部屋の壁面に関する４つの画像データ（壁面データ）とが記憶されており、当該４つの壁面データは間取りデータに関連付けられてコンピュータ１５の記憶部に記憶されている。
【００３９】
各間取りデータは、プロジェクタ１３から投射した間取り画像が床面部１２にて実寸で表示され得るように、各壁面データは、リアプロジェクタユニット１４ａ，１４ｂのスクリーン部１４１ａ，１４１ｂに壁面画像が実寸で表示され得るように、あらかじめ画像データの大きさを調整しておく必要がある。なお、各間取りデータおよび壁面データは、実際の床、家具、壁等の色や質感を表示できる画像データとなっていることが好ましい。
【００４０】
以上のような構成を有する間取り実寸表示システム１１を使用するには、オペレータがコンピュータ１５を操作して、所望の間取り画像およびその表示方向を選択する。コンピュータ１５の制御部は、選択された間取り画像のデータを選択された表示方向でプロジェクタ１３に出力するとともに、それに合わせて２つの壁面データをリアプロジェクタユニット１４ａ，１４ｂのそれぞれに出力する。
【００４１】
プロジェクタ１３は、コンピュータ１５から出力された間取りデータに基づいて床面部１２に間取り画像を実寸で投射し、リアプロジェクタユニット１４ａは、コンピュータ１５から出力された壁面データに基づいてスクリーン部１４１ａに壁面画像を実寸で投射し、リアプロジェクタユニット１４ｂは、コンピュータ１５から出力された壁面データに基づいてスクリーン部１４１ｂに壁面画像を実寸で投射する。例えば図３（ａ）に示すように、床面部１２には、ソファー２１、テーブル２２、テレビ２３およびクッション２４が配置されたリビングルームの画像が表示され、スクリーン部１４１ａには、窓２５を有する壁面の画像が表示され、スクリーン部１４１ｂには、ドア２６を有する壁面の画像が表示される。
【００４２】
このようにして、床面部１２には部屋の間取りが実寸で表示され、スクリーン部１４１ａ，１４１ｂには部屋の壁面構成が実寸で表示される。その床面部１２に実寸で表示された間取りを見たり、実寸で表示された間取りの上を実際に歩いたりすることで、部屋の間取りのイメージを的確に把握することができる。また、スクリーン部１４１ａ，１４１ｂに実寸で表示された部屋の壁面構成を見ることで、窓の位置、ドアの位置、壁の高さ等のイメージを的確に把握することができる。さらに、実寸で表示された間取りと壁面構成とが組み合わせられることにより、部屋の空間イメージを立体的に的確に把握することもできる。なお、本実施形態では、壁面部にリアプロジェクタユニット１４ａ，１４ｂを使用しているため、床面部１２上に人が立ったとしても、スクリーン部１４１ａ，１４１ｂに投射される壁面画像に影ができることがなく、スクリーン部１４１ａ，１４１ｂに投射された壁面画像が見やすいという利点がある。
【００４３】
ここで、オペレータがコンピュータ１５を操作して、間取り画像の表示方向として、別の表示方向を選択する（例えば垂直軸回りに１８０°回転させる）と、コンピュータ１５の制御部は、該当する２つの壁面データを記憶部から読み出し、当該２つの壁面データをリアプロジェクタユニット１４ａ，１４ｂのそれぞれに出力するとともに、間取りデータを選択された表示方向でプロジェクタ１３に出力する。それに基づいてプロジェクタ１３およびリアプロジェクタユニット１４ａ，１４ｂは、回転した間取り画像およびそれに該当する壁面画像を床面部１２およびスクリーン部１４１ａ，１４１ｂに投射する。例えば図３（ｂ）に示すように、スクリーン部１４１ａには、引き戸２７を有する壁面の画像が表示され、スクリーン部１４１ｂには、絵画２８が掛けられた壁面の画像が表示され、床面部１２には、図３（ａ）の床面部１２に表示されている間取りが垂直軸回りに１８０°回転した間取りが表示される。
【００４４】
このように間取りの向きを切り替え可能とすることにより、リアプロジェクタユニット１４ａ，１４ｂの数が２つであっても、全ての壁面（４面）の壁面構成を表示させることができる。また、床面部１２に表示される間取りとスクリーン部１４１ａ，１４１ｂに表示される壁面構成とは互いに連動するため、部屋の空間をリアルに自動表示することができる。
【００４５】
以上説明した実施形態は、本発明の理解を容易にするために記載されたものであって、本発明を限定するために記載されたものではない。したがって、上記実施形態に開示された各要素は、本発明の技術的範囲に属する全ての設計変更や均等物をも含む趣旨である。
【００４６】
例えば、第１の実施形態に係る間取り実寸表示システム１においては、約３０坪の床面２に間取り画像を投射し得るプロジェクタ４ａが１台設置されているが、２台以上のプロジェクタを設置し、それよりも広い建坪（例えば６０坪）を有する家屋等の間取りをシームレスで表示するようにしてもよい。
【００４７】
また、第１の実施形態の間取り実寸表示システム１におけるプロジェクタ４ａ，４ｂ，４ｃまたは第２の実施形態の間取り実寸表示システム１１におけるプロジェクタ１３は、リアプロジェクタであってもよいし、第２の実施形態の間取り実寸表示システム１１におけるリアプロジェクタユニット１４ａ，１４ｂは、フロントプロジェクタであってもよい。
【００４８】
さらに、コンピュータ５，１５は、記憶部に記憶している間取りデータおよび／または壁面データを加工・変更可能な機能（ソフトウエア）を備えていてもよい。これにより、施主等の細かい要望に応じた間取りまたは壁面構成を実寸で表示することができる。
【００４９】
さらに、間取りまたは壁面構成を表示する表示装置として、プロジェクタまたはリアプロジェクタ以外にも、例えば、多数の発光ダイオード、複数の液晶ディスプレイ、プラズマディスプレイ、ＣＲＴディスプレイ等を使用することもできるし、また、回転可能な小さい多面パネルを多数組み合わせた表示装置や砂鉄を利用した白黒の表示装置を使用することもできる。
【産業上の利用可能性】
【００５０】
本発明の間取り実寸表示システムは、一戸建てを建築したりリフォームしたりする場合、あるいは建築前の集合住宅の住戸を購入する場合において、間取りを確認するのに有用である。
【図面の簡単な説明】
【００５１】
【図１】本発明の第１の実施形態に係る間取り実寸表示システムを示す概略斜視図である。
【図２】本発明の第２の実施形態に係る間取り実寸表示システムを示す概略斜視図である。
【図３】（ａ）は、図２に示す第２の実施形態における投射画像を示す模式図であり、（ｂ）は、（ａ）の投射画像を垂直軸回りに１８０度回転させた投射画像を示す模式図である。
【符号の説明】
【００５２】
１，１１…間取り実寸表示システム
２…床面
１２…床面部
３ａ，３ｂ，１４１ａ，１４１ｂ…スクリーン部
４ａ，４ｂ，４ｃ，１３，１４２ａ，１４２ｂ…プロジェクタ（表示装置）
１４ａ，１４ｂ…リアプロジェクタユニット
５，１５…コンピュータ
【図１】
2007187755.tif 000003
【図２】
2007187755.tif 000004
【図３】
2007187755.tif 000005